(57)【要約】【課題】  １種類の固定具で外径の異なる複数種のブラケットに温度過昇防止手段を不具合なく取り付けることができて、費用を抑えることができると共に、部品管理も容易になる電動機及びそれを用いた電動送風機を提供する。【解決手段】  ステータやロータが内蔵される円筒状のブラケットの外周面に固定具２１を介して温度過昇防止装置２０が固定される電動機であって、前記固定具２１は、そのブラケット取付面２１ｆに外径の異なるブラケットの外周面に対応した曲率を有する複数の取付部２１ａ，２１ｂを備えて成る。【選択図】        図３
2006353029.tif 000002
【特許請求の範囲】
【請求項１】
ステータやロータが内蔵される円筒状のブラケットの外周面に固定具を介して温度過昇防止手段が固定される電動機であって、
前記固定具は、そのブラケット取付面に外径の異なるブラケットの外周面に対応した曲率を有する複数の取付部を備えて成ることを特徴とする電動機。
【請求項２】
前記固定具は、外径の異なる複数種のブラケットに対応して、当該固定具に装着された温度過昇防止手段がブラケット外周面に接触するように形成されて成ることを特徴とする請求項１記載の電動機。
【請求項３】
前記固定具は、外径の異なる２種類のブラケットに対応して、一端側に外径の大きなブラケットの外周面に対応した曲率を有する第１取付部を備え、他端側に前記温度過昇防止手段が装着される装着部を備えると共に、これら第１取付部と装着部との間に外径の小さなブラケットの外周面に対応した曲率を有する第２取付部を備えて成ることを特徴とする請求項１又は請求項２記載の電動機。
【請求項４】
前記請求項１ないし請求項３のいずれかに記載の電動機と、この電動機により回転駆動される送風機とが一体に構成されて成ることを特徴とする電動送風機。
【発明の詳細な説明】
【技術分野】
【０００１】
本願発明は、温度過昇防止手段を備えた電動機及びそれを用いた電動送風機に関するものである。
【背景技術】
【０００２】
電気掃除機などに用いられる電動送風機等の電動機に適用される温度過昇防止手段としては、一般に温度ヒューズやサーモスタット等の温度過昇防止装置が用いられ、取付部位の温度が過昇，すなわち上昇し過ぎたときに、電動機への通電を遮断して電動機を停止させるようにしている（例えば、特許文献１参照）。
【特許文献１】特開２００３−３２４９０７号公報
【発明の開示】
【発明が解決しようとする課題】
【０００３】
ところで、上記のような温度過昇防止手段は、ステータやロータが内蔵される円筒状のブラケット内やブラケット外周面に固定具（ホルダー）を使用して取り付けられるが、いずれの場合も専用の固定具が必要となり、機種が替わると使用することができないため、機種（大きさ等）が異なる電動機毎に専用の固定具が必要となる。
【０００４】
特に、ブラケット外周面に取り付けるものでは、高出力電動機におけるブラケットの外径と、低出力電動機におけるブラケットの外径が異なり、外径の大きなブラケットに合わせた固定具を外径の小さなブラケットに取り付けるとガタツキが生じ、逆に外径の小さなブラケットに合わせた固定具を外径の大きなブラケットに取り付けると変形や割れが発生するため、それぞれの外径に応じた形状（曲率）にする必要があり、固定具を複数種製作する必要があった。よって、費用が多く発生することや部品の管理数が多くなるという問題があった。
【０００５】
そこで、本願発明はこのような課題を解決するためになされたものであり、１種類の固定具で外径の異なる複数種のブラケットに温度過昇防止手段を不具合なく取り付けることができて、費用を抑えることができると共に、部品管理も容易になる電動機及びそれを用いた電動送風機を提供することを目的とするものである。
【課題を解決するための手段】
【０００６】
上記のような目的を達成するために、本願発明は、ステータやロータが内蔵される円筒状のブラケットの外周面に固定具を介して温度過昇防止手段が固定される電動機であって、前記固定具は、そのブラケット取付面に外径の異なるブラケットの外周面に対応した曲率を有する複数の取付部を備えて成ることを特徴とするものである。
【０００７】
さらに、前記固定具は、外径の異なる複数種のブラケットに対応して、当該固定具に装着された温度過昇防止手段がブラケット外周面に接触するように形成されて成ることを特徴とするものである。
【０００８】
また、前記固定具は、外径の異なる２種類のブラケットに対応して、一端側に外径の大きなブラケットの外周面に対応した曲率を有する第１取付部を備え、他端側に前記温度過昇防止手段が装着される装着部を備えると共に、これら第１取付部と装着部との間に外径の小さなブラケットの外周面に対応した曲率を有する第２取付部を備えて成ることを特徴とするものである。
【０００９】
また、本願発明に係る電動送風機は、上記のいずれかに記載の電動機と、この電動機により回転駆動される送風機とが一体に構成されて成ることを特徴とするものである。
【発明の効果】
【００１０】
本願発明によれば、温度過昇防止手段を固定する固定具のブラケット取付面に、外径の異なるブラケットの外周面に対応した曲率を有する複数の取付部が備えられているので、１種類の固定具で外径の異なる複数種のブラケットに温度過昇防止手段を不具合なく取り付けることができて、費用を抑えることができると共に、部品管理も容易になる。
【００１１】
さらに、外径の異なる複数種のブラケットに対応して、固定具に装着された温度過昇防止手段がブラケット外周面に接触するように形成されて成るものであるから、温度過昇を精度良く防止することができる。
【００１２】
また、外径の異なる２種類のブラケットに対応させる場合は、一端側に外径の大きなブラケットの外周面に対応した曲率を有する第１取付部を備え、他端側に温度過昇防止手段が装着される装着部を備えると共に、これら第１取付部と装着部との間に外径の小さなブラケットの外周面に対応した曲率を有する第２取付部を備えることにより、容易に実現することができる。
【００１３】
また、本願発明による電動送風機は、前述したような電動機と、この電動機により回転駆動される送風機とが一体に構成されて成るものであるから、上述したような効果を有する電動送風機を実現することができる。
【発明を実施するための最良の形態】
【００１４】
以下、本願発明の実施形態を図面を参照して詳細に説明する。
【００１５】
図１，図２は、本願発明の一実施形態に係る電動送風機を示す図で、図１は高出力、図２は低出力のものを示しており、それぞれ（ａ）は側面図、（ｂ）は背面図である。
【００１６】
図１に示した高出力の電動送風機１は、有底円筒状のブラケット２ａ内にステータ２ｂやロータ（図示せず）が内蔵された高出力の電動機２と、この電動機２によって回転駆動される遠心ファン（図示せず）がファンカバー３ａで覆われた送風機３が一体に構成されている。上記送風機３によって吸い込まれた空気は、電動機２のブラケット２ａ内に送り込まれてステータ２ｂやロータ等が冷却されるようになっている。
【００１７】
上記ブラケット２ａの底面側近傍には、ステータ２ｂやロータ等を冷却した排気風が排出される排気口２ｃが形成されると共に、ブラシ保持部２ｄが取り付けられている。
【００１８】
図２に示した低出力の電動送風機１１も、基本的構成は上記と同様で、上記ブラケット２ａよりも小径で有底円筒状のブラケット１２ａ内にステータやロータ（いずれも図示せず）が内蔵された低出力の電動機１２と、この電動機１２によって回転駆動される遠心ファン（図示せず）がファンカバー１３ａで覆われた送風機１３が一体に構成されている。上記送風機１３によって吸い込まれた空気は、電動機１２のブラケット１２ａ内に送り込まれてステータやロータ等が冷却されるようになっている。
【００１９】
上記ブラケット１２ａの底面側近傍には、ステータやロータ等を冷却した排気風が排出される排気口１２ｃが形成されると共に、ブラシ保持部１２ｄが取り付けられている。
【００２０】
上記図１，図２に示した電動送風機１，１１の各電動機２，１２には、送風機３，１３側のスペースにそれぞれのブラケット２ａ，１２ａの外周面に沿って、サーモスタット等の温度過昇防止装置２０が１種類の固定具２１を用いて固定されている。
【００２１】
上記固定具２１は樹脂製で、図３に示すように構成されている。図３（ａ）は平面図、（ｂ）は側面図、（ｃ）は底面（ブラケット取付面）図、（ｄ）は中央縦断面図、（ｅ）は温度過昇防止装置２０のリード線２０ａ側から見た側面図である。
【００２２】
本実施形態の固定具２１は、上記図１，図２に示した外径の異なる２種類のブラケット２ａ，１２ａに対応して、一端側に外径の大きなブラケット２ａの外周面に対応した曲率（半径Ａで、例えば４１ｍｍ）を有する第１取付部２１ａを備え、他端側に温度過昇防止装置２０がブラケット外周面側に露出して装着される横長の装着部２１ｃを備えると共に、これら第１取付部２１ａと装着部２１ｃとの間に外径の小さなブラケット１２ａの外周面に対応した曲率（半径Ｂで、例えば３６ｍｍ）を有する第２取付部２１ｂを備えている。
【００２３】
上記第１，第２取付部２１ａ，２１ｂには、図１，図２に示したように、温度過昇防止装置２０が装着された固定具２１をネジ２２でブラケット２ａ，１２ａに取り付けるためのネジ孔２１ｄ，２１ｅが形成されている。これらのネジ孔２１ｄ，２１ｅの間には、図３（ｄ），（ｅ）に示すようにブラケット取付面２１ｆ側に突出する位置決め用凸部２１ｇが形成されている。
【００２４】
一方、各ブラケット２ａ，１２ａ側には、図示はしないが、上記ネジ２２が締め付けられるネジ孔と上記位置決め用凸部２１ｇが嵌合する位置決め用凹部が形成されている。ブラケット２ａ，１２ａ側のネジ孔は、位置決め用凹部に対してそれぞれ反対側に位置するように形成され、大径のブラケット２ａに固定具２１を位置決めすると、固定具２１における第１取付部２１ａのネジ孔２１ｄとブラケット２ａのネジ孔が対応し、小径のブラケット１２ａに固定具２１を位置決めすると、固定具２１における第２取付部２１ｂのネジ孔２１ｅとブラケット１２ａのネジ孔が対応するように構成されている。
【００２５】
また、装着部２１ｃが形成された側の端部２１ｈは、反対側にある第１取付部２１ａの曲率と同一の円弧上に位置している。また、図１，図２に示したように固定具２１をブラケット２ａ，１２ａに取り付けたときに送風機３，１３側とは反対側に伸びる装着部２１ｃの端部には、温度過昇防止装置２０の一端側から伸びる２本のリード線２０ａ，２０ａの間に突出して温度過昇防止装置２０が抜け落ちるのを防止する抜け止め用突起２１ｉが形成されている。
【００２６】
以上の構成において、温度過昇防止装置２０を図１に示した電動送風機１における高出力の電動機２のブラケット２ａ外周面に取り付けるときは、固定具２１の装着部２１ｃに温度過昇防止装置２０を装着してブラケット２ａ外周面に配置し、固定具２１側の位置決め用凸部２１ｇがブラケット２ａ側の位置決め用凹部に嵌合する位置に位置決めする。これにより、ブラケット２ａ側のネジ孔とは固定具２１の第１取付部２１ａに形成されたネジ孔２１ｄのみが一致するので、そこにネジ２２を締め付ければ、取付部を間違うことなく容易に取り付けることができる。
【００２７】
温度過昇防止装置２０が装着された固定具２１のブラケット２ａへの取り付けが完了すると、図４に示すように、一端側の第１取付部２１ａが同じ曲率のブラケット２ａ外周面と密着した状態で固定されるので、ガタツキや変形，割れ等の不具合を生じることなく、温度過昇防止装置２０をブラケット２ａ外周面にしっかりと固定することができる。なお、図４は温度過昇防止装置２０が装着された固定具２１のブラケット２ａへの取り付け状態を示す図であって、ブラケット２ａ内にはステータコア２ｅのみを示している。
【００２８】
さらに、装着部２１ｃが形成された他端側の端部２１ｈが上記第１取付部２１ａの曲率と同一の円弧上に位置するので、他端部２１ｈもブラケット２ａ外周面に密着すると共に、装着部２１ｃに装着された温度過昇防止装置２０がブラケット２ａ外周面に接触するので、温度過昇防止を精度良く行うことができる。なお、中央部の第２取付部２１ｂは、曲率がブラケット２ａ外周面の曲率より大きいので、ブラケット２ａ外周面から若干浮いた状態となるが、第１取付部２１ａでしっかりと固定され、温度過昇防止装置２０もブラケット２ａ外周面に接触しているので問題ない。
【００２９】
一方、温度過昇防止装置２０を図２に示した電動送風機１１における低出力の電動機１２のブラケット１２ａ外周面に取り付けるときは、固定具２１の装着部２１ｃに温度過昇防止装置２０を装着してブラケット１２ａ外周面に配置し、固定具２１側の位置決め用凸部２１ｇがブラケット１２ａ側の位置決め用凹部に嵌合する位置に位置決めする。これにより、ブラケット１２ａ側のネジ孔とは固定具２１の第２取付部２１ｂに形成されたネジ孔２１ｅのみが一致するので、そこにネジ２２を締め付ければ、取付部を間違うことなく容易に取り付けることができる。
【００３０】
温度過昇防止装置２０が装着された固定具２１のブラケット１２ａへの取り付けが完了すると、図５（ａ）に示すように、中央部の第２取付部２１ｂが同じ曲率のブラケット１２ａ外周面と密着した状態で固定されるので、ガタツキや変形，割れ等の不具合を生じることなく、温度過昇防止装置２０をブラケット１２ａ外周面にしっかりと固定することができる。なお、図５は温度過昇防止装置２０が装着された固定具２１のブラケット１２ａへの取り付け状態を示す図であって、ブラケット１２ａ内にはステータコア１２ｅのみを示しており、（ｂ）は（ａ）の囲み円内の拡大図である。
【００３１】
さらに、温度過昇防止装置２０が装着される装着部２１ｃを上記第２取付部２１ｂに隣接して形成したことにより、装着部２１ｃに装着された温度過昇防止装置２０が図５（ｂ）に示すようにブラケット１２ａ外周面に接触するので、温度過昇防止を精度良く行うことができる。なお、一端側の第１取付部２１ａとこの第１取付部２１ａの曲率と同一の円弧上に位置する他端部２１ｈは、曲率がブラケット１２ａ外周面の曲率より小さいので、ブラケット１２ａ外周部から浮いた状態となるが、第２取付部２１ｂでしっかりと固定され、温度過昇防止装置２０もブラケット１２ａ外周面に接触しているので問題ない。
【００３２】
上述してきたように、温度過昇防止装置２０の固定具２１に、外径の異なる複数種のブラケット２ａ，１２ａに対応して曲率の異なる複数の取付部２１ａ，２１ｂを形成することによって、外径の異なる複数種のブラケット２ａ，１２ａに不具合なく取り付けることが可能となり、それにより費用を抑えることが可能となった。また、固定具２１を一つに集約することにより部品管理を容易にすることが可能になった。
【００３３】
なお、上記実施形態においては、本願発明を電気掃除機などに用いられる電動送風機の電動機に適用した場合について説明したが、他の用途の電動機にも適用可能である。
【図面の簡単な説明】
【００３４】
【図１】本願発明の一実施形態に係る高出力の電動送風機を示す図で、（ａ）は側面図、（ｂ）は背面図。
【図２】同じく、低出力の電動送風機を示す図で、（ａ）は側面図、（ｂ）は背面図。
【図３】本実施形態の固定具を示す図で、（ａ）は平面図、（ｂ）は側面図、（ｃ）は底面図、（ｄ）は中央縦断面図、（ｅ）は温度過昇防止装置のリード線側から見た側面図。
【図４】温度過昇防止装置が装着された固定具を外径の大きなブラケットへ取り付けた状態を示す図。
【図５】温度過昇防止装置が装着された固定具を外径の小さなブラケットへ取り付けた状態を示す図で、（ｂ）は（ａ）の囲み円内の拡大図。
【符号の説明】
【００３５】
１  電動送風機
２  電動機
２ａ  ブラケット
３  送風機
１１  電動送風機
１２  電動機
１２ａ  ブラケット
１３  送風機
２０  温度過昇防止装置
２１  固定具
２１ａ  第１取付部
２１ｂ  第２取付部
２１ｃ  装着部
２１ｄ，２１ｅ  ネジ孔
２１ｆ  ブラケット取付面
２１ｇ  位置決め用凸部
２１ｈ  他端部
２１ｉ  抜け止め用突起
２２  ネジ
【図１】
2006353029.tif 000003
【図２】
2006353029.tif 000004
【図３】
2006353029.tif 000005
【図４】
2006353029.tif 000006
【図５】
2006353029.tif 000007